(57)【要約】      （修正有）【課題】花びらの取り外しをせずに容易にブルーミングを行なうことができる乾燥花の開花用のステムと、フラワーアレンジメントの花とを提供する。【解決手段】ステム１１はその上端に膨出部１３を備え、膨出部１３の下に下方支持部１４が配置される。プリザーブドフラワーの花部３１の子房３３を取り出した内部空間３６に接着剤３７が注入された後、膨出部１３が挿入され、下方支持部１４で蓋される。接着剤３７が硬化する前に、花弁３２を開くように外側へ動かす。この状態で、接着剤３７が硬化して、花部３１と膨出部１３とが固定されることで、花びらの取り外しを行わずとも簡単に、開花状態の花部３１を得ることができる。【選択図】図１
0003190252.tif 000002
【実用新案登録請求の範囲】
【請求項１】
乾燥済みの花に取り付けられる乾燥花の開花用のステムにおいて、
前記ステムはその上端に膨出部を備え、
前記膨出部は、前記乾燥花の下部中央の部位を取り出した内部空間に挿入されるものであり、前記膨出部と前記乾燥花とが接着剤で固定されるものであることを特徴とする乾燥花の開花用のステム。
【請求項２】
前記ステムは、軸部と、前記軸部の上端に備えられた前記膨出部と、前記膨出部の下に配置された下方支持部とを備えるものであり、
前記膨出部は、前記軸部の直径よりも大きな直径を備え、
前記下方支持部は、前記膨出部と前記軸部との少なくとも何れか一方に支持されたものであることを特徴とする請求項１記載の乾燥花の開花用のステム。
【請求項３】
前記乾燥花は、プリザーブドフラワーであることを特徴とする請求項１又は２記載の乾燥花の開花用のステム。
【請求項４】
下部中央の部位を取り出した乾燥花と、前記乾燥花に取り付けられるステムとを備え、
前記ステムはその先端に膨出部を備え、
前記膨出部が前記乾燥花の前記下部中央の部位を取り出した内部空間に挿入され、前記膨出部と前記花とが接着剤で固定されたことを特徴とするフラワーアレンジメントの花。
【考案の詳細な説明】
【技術分野】
【０００１】
本考案は、フラワーアレンジメントに用いられる乾燥花の開花用のステム及び花に関するものである。
【背景技術】
【０００２】
プリザーブドフラワー（プリザーブフラワーとも言う）に代表される生花を乾燥加工した乾燥花は、フラワーアレンジメントの主役として利用され、家庭や企業において、装飾やギフトなどに多用されている。今日乾燥花の主流となっている。
プリザーブドフラワーは、通常、花の子房より下の位置で切断されて花部のみが残され、残された花部が薬剤加工されて乾燥される。より詳しくは、複数の花弁が離れずに子房と一体となっている状態が保たれる位置、あるいはそれよりも１〜１．５ｃｍ下の位置で切断される。切り離された花部は、薬液で脱水、脱色され、必要に応じて着色された保存液にて処理された後、乾燥される。
【０００３】
プリザーブド加工された花部は、合成樹脂やワイヤー材料製のステムに接着固定され完成品となる。ステムは、放射状に広がる萼片と、その中央に設けられた突起とを備え、突起が子房に差し込まれて固定される。この突起は、子房に差し込んで係止するためのものであり、ステムの軸よりも細く尖ったものである。
【０００４】
プリザーブドフラワーは、その特徴によって注目されているものであるが、一方で、薬品処理を含む作製上の制約として、開花状態の花を加工すると花弁が取れやすく、製品としての歩留まりが悪いという問題がある。このため、花の見栄えを犠牲にしてもつぼみや、半開状態のものを製品とすることもあったが、今日においては、半開状態を開花状態とするブルーミングと呼ばれる工程がなされることが多い。
【０００５】
ブルーミングの一つの方法としては、スタッフィング（詰め物をすること）が知られている。このスタッフィングは、花部を形成している複数の花弁の間に、綿や、ティッシュペーパー、あるいは花弁などの詰め物を挿入し、花を開花状態とすることである。
他の方法としては、メリアと呼ばれる方法が知られている。この方法は、花びら（花弁）を１枚１枚取り外して、取り外した花びらや、場合によってはさらに追加した花びらを、接着剤で好みの開花状態に固定する方法である。
これら従来の方法では、作業に熟練を要すると共に、手間と時間がかかってしまうという問題がある。そのため特許文献１及び２では、これらの作業を改善する提案がなされているが、開花作業の困難性から作業者を完全に開放するものではなかった。
【先行技術文献】
【特許文献】
【０００６】
【特許文献１】特開２００９−６６７８３号公報
【特許文献２】特許第３９５７２１６号公報
【考案の概要】
【考案が解決しようとする課題】
【０００７】
本考案は、花びらを取り外すなどと言った熟練と時間を要する作業を行わずとも、容易にブルーミングを行なうことができる開花用のステムと、フラワーアレンジメントの花とを提供することを課題とする。
また、本考案は、綺麗な開花状態にプリザーブドフラワーなどの乾燥花を整えることができるフラワーアレンジメント開花用のステムと、フラワーアレンジメントの花とを提供することを課題とする。
【課題を解決するための手段】
【０００８】
本考案は、乾燥済の乾燥花に取り付けられるフラワーアレンジメント開花用のステムにおいて、前記ステムはその上端に膨出部を備え、前記膨出部は、前記乾燥花の下部中央の部位を取り出した内部空間に挿入されるものであり、前記膨出部と前記乾燥花とが接着剤で固定されるものであることを特徴とする乾燥花の開花用のステムを提供する。
前記ステムは、軸部と、前記軸部の上端に備えられた前記膨出部と、前記膨出部の下に配置された下方支持部とを備えるものであり、前記膨出部は、前記軸部の直径よりも大きな直径を備え、前記下方支持部は、前記膨出部と前記軸部との少なくとも何れか一方に支持されたものであることが望ましい。
【０００９】
また本考案は、下部中央の部位を取り出した乾燥済の乾燥花と、前記乾燥花に取り付けられるステムとを備え、前記ステムはその先端に膨出部を備え、前記膨出部が前記乾燥花の前記下部中央の部位を取り出した内部空間に挿入され、前記膨出部と前記花とが接着剤で固定されたことを特徴とするフラワーアレンジメントの花を提供する。
【考案の効果】
【００１０】
本考案に係る乾燥花の開花用のステムは、花びらの取り外しをせずに容易にブルーミングを行なうことができる。また、綺麗な開花状態に乾燥花を整えることができ、開花作業と同時にアレンジする際に必要なステム付けが行えるという効果も発揮する。
【００１１】
本考案に係るフラワーアレンジメントの花は、花びらの取り外しをせずに容易にブルーミングを行なうことができる構造を備えたものである。また、綺麗な開花状態に乾燥花を整えることも可能となったものである。
【図面の簡単な説明】
【００１２】
【図１】本考案の実施の形態に係るフラワーアレンジメントの花の製造工程を示すもので、（Ａ）プリザーブドフラワーの説明図、（Ｂ）子房を取り出したプリザーブドフラワーの説明図、（Ｃ）ステムを挿入した状態の説明図、（Ｄ）花弁を開いた状態の説明図。
【図２】同プリザーブドフラワーの平面図であり（Ａ）花弁を開く前の平面図、（Ｂ）花弁を開いた状態の平面図。
【図３】（Ａ）本考案の実施の形態に係る開花用のステムの側面図、（Ｂ）同ステムの下方支持部の平面図。
【図４】本考案の実施の形態に係るフラワーアレンジメントの花の製造工程を示すもので、プリザーブドフラワーから子房を取り出す工程の説明図。
【図５】本考案の実施の形態に係るフラワーアレンジメントの花の製造工程を示すもので、プリザーブドフラワーに接着剤を注入する工程の説明図。
【図６】本考案の実施の形態に係るフラワーアレンジメントの花の製造工程を示すもので、プリザーブドフラワーにステムを挿入する工程の説明図。
【図７】本考案の実施の形態に係るフラワーアレンジメントの花の製造工程を示すもので、プリザーブドフラワーにステムを挿入した状態の説明図。
【考案を実施するための形態】
【００１３】
以下、図面に基づき本考案の実施の形態を説明する。
まず、図１（Ａ）に基づき、プリザーブドフラワーについて説明する。プリザーブドフラワーは、前述の背景技術で説明したものと同様のものを用いることができ、一般のプリザーブドフラワーの加工方法に従って加工したものを用いることができる。プリザーブドフラワーの花部３１は、複数の花弁３２と、その下部中央の部位である子房３３と、花弁３２を支持する萼３４と、萼３４から下方に伸びる花柄３５とを備える。
【００１４】
次に、図１（Ｂ）及び図４に示すように、花部３１から子房３３を取り出す。具体的には、花部３１を一方の手指４１で持って、他方の手指４１で花柄３５をゆっくりと引き出すことで、花柄３５と共に、萼３４及び子房３３が抜ける。これによって、花部３１の内部には、内部空間３６が形成される。
【００１５】
次に、図５に示すように、花部３１の内部空間３６に、ノズル４２を挿入し、接着剤３７を注入する。この接着剤３７としては、グルーと呼ばれるホットメルト接着剤が適するが、接着剤の注入後硬化完了までの間に後述の開花作業を行なえるものであれば、１液性か２液性であるかを問わず、適宜選択して用いることができる。
【００１６】
次に、図１（Ｃ）及び図６に示すように、ステム１１の膨出部１３を内部空間３６に挿入する。
ここで、図３を主として参照して、ステム１１について説明する。ステム１１は全長約１０〜２８cmの合成樹脂製で、長さ約９〜２７cm軸部１２と、その上端の長約１〜２cmの膨出部１３と、膨出部１３の下方に配置された下方支持部１４とを備える。これらの長さは花の種類や大きさなどに応じて適宜変更して実施することができる。またステム１１は一体成形してもよいが、軸部１２、膨出部１３、下方支持部１４を別々のパーツとして成形した後、組み付けるようにしてもよい。この例では、図３（Ｂ）の下方支持部１４のみを別パーツとしている。
【００１７】
軸部１２は、この例ではバラの刺に似せた多数の小突起を形成しているが、省略することもでき、他の模様を付してもよい。また、軸部１２をワイヤーで構成することもできる。
【００１８】
軸部１２の上端の膨出部１３は、内部空間３６に挿入される部分であり、これによって花弁３２を内側から支持する。膨出部１３は、大径の底部２１と、底部２１から徐々に径が縮小して先尖りとなった先端部２２とを備える。この形状は、適宜変更して実施することができるが、その最大径は内部空間３６を充分に満たす大きさとしておくことが望ましい。この例では、花部３１としてバラを想定しており、最大径は１．０〜１．２cmとしているが、花の種類などに応じて適宜変更して実施することができる。膨出部１３には、縦方向に伸びる突条２３が多数形成されていることで、スムーズに内部空間３６に挿入できるようにしているが、省略して実施することもでき、突条２３に代えて、突起や円周状の突条などの他の形状に変更して実施することもできる。また、膨出部１３の平面形状は略円形としているが、多角形や略星型など他の形状に変更して実施することも可能である。側面形状についても種々変更でき、例えば、上下方向の途中にくびれを設けて複数段の膨出部としてもよい。さらに膨出部１３の先端部２２から小突起を形成するなどしてもよく、膨出部１３はステム１１の最先端に位置させる必要は必ずしもなく内部空間３６に挿入できるように先端側に位置すれば足りる。
【００１９】
下方支持部１４は、中央部１５と、その周囲から略放射状に伸びる萼片部１６とを備える。これらはバラの萼を模したものであり、萼片部１６には小突片１７を形成してもよい。中央部１５の略中央には接続部２０が上方に突出しており、接続部２０の内部には貫通孔１８が形成されている。この貫通孔１８に軸部１２の下端を挿入して、接続部２０を膨出部１３の底部２１に設けられた受容孔（図示せず）に嵌合させて、両者を結合固定する。この下方支持部１４は軸部１２と膨出部１３との少なくとも何れか一方に固定すればよい。この下方支持部１４は、下方から花部３１を支持するものであるが、省略して実施することも可能である。また、中央部１５のみを形成し、萼片部１６を省略することもできる。
【００２０】
次に、前述のように接着剤３７が注入された内部空間３６に対して、膨出部１３を挿入する（図１（Ｃ）、図７参照）。挿入深さは適宜変更できるが、下方支持部１４が花部３１の下部に当接するまで挿入すればよい。特に望ましくは、下方支持部１４の中央部１５によって、内部空間３６の開口部を蓋するようにする。そのため、中央部１５は内部空間３６の開口部の大きさ以上の大きさであることが望ましい。
【００２１】
これによって、膨出部１３と花弁３２とが接着剤３７の硬化に伴って接着される。
最後に、図１（Ｄ）に示すように、花弁３２を開花状態に広げる。この作業は、接着剤３７が完全に硬化してしまうまでに行なう必要がある。接着剤３７として、前述のホットメルト接着剤を用いた場合、通常１〜２分程度で硬化するため、それまでにその作業を完了させる。開花状態に広げる方法は、一度に全ての花弁３２を広げようとせず、外側の花弁３２から徐々に広げていき、順次内側の花弁３２を広げることが望ましい。これによって、図２に示すように、開花前（図２（Ａ））から、開花後（図２（Ｂ））では約１、５倍程度の大きさまで開花させることができる。
【００２２】
このように、本考案によれば、花びらの取り外しを行わずとも、極めて能率的にプリザーブドフラワーを開花させることができるものである。
なお、本考案は、上述のように、花びらの取り外しや追加を全くを行わずに実施することができるが、好みに応じて、花びらを間引いたり追加したりして実施することも可能である。
【符号の説明】
【００２３】
１１  ステム
１２  軸部
１３  膨出部
１４  下方支持部
１５  中央部
１６  萼片部
１７  小突片
１８  貫通孔
２０  基部
２１  底部
２２  先端部
２３  突条
３１  花部
３２  花弁
３３  子房
３４  萼
３５  花柄
３６  内部空間
３７  接着剤
４１  手指
４２  ノズル
【図１】
0003190252.tif 000003
【図３】
0003190252.tif 000004
【図４】
0003190252.tif 000005
【図５】
0003190252.tif 000006
【図６】
0003190252.tif 000007
【図７】
0003190252.tif 000008
【図２】
0003190252.tif 000009